(57)【要約】【課題】導光板が予期せぬ変形をした場合であっても、導光板の歪や反りを防止し、光源の破壊、光入射効率の低下、輝度むら等の発生を防ぐ画像表示装置を提供する。【解決手段】導光板５と、導光板５の脇に設けられ、導光板５に当接している導光板支持部１９と、導光板５に向けて光を射出する光源９とを備えたフレーム部材７と、フレーム部材７が導光板５を押すように、フレーム部材７を付勢する弾性体１１とを有し、弾性体１１の付勢力で導光板５を支持しているとともに、導光板５の変形を弾性体１１の弾性変形で吸収するように構成されている。【選択図】図１
2012146504.tif 000002
【特許請求の範囲】
【請求項１】
導光板と、
前記導光板の脇に設けられ、前記導光板に当接している導光板支持部と、前記導光板に向けて光を射出する光源とを備えたフレーム部材と、
前記フレーム部材が前記導光板を押すように、前記フレーム部材を付勢する弾性体と、
を有し、
前記弾性体の付勢力で前記導光板を支持しているとともに、前記導光板の変形を前記弾性体の弾性変形で吸収するように構成されていることを特徴とする照明装置。
【請求項２】
導光板と、
前記導光板の一方の側に設けられ、前記導光板に当接している導光板支持部と、前記導光板に向けて光を射出する光源とを備えた第１のフレーム部材と、
前記導光板の他方の側に設けられ、前記導光板に当接している導光板支持部と、前記導光板に向けて光を射出する光源とを備えた第２のフレーム部材と、
前記第１のフレーム部材が前記導光板を押圧するように、前記第１のフレーム部材を付勢する第１の弾性体と、
前記第２のフレーム部材が前記導光板を前記第１のフレーム部材とは逆方向で押圧するように、前記第２のフレーム部材を付勢する第２の弾性体と、
を有することを特徴とする照明装置。
【請求項３】
矩形な枡状に形成された筐体と、
矩形な平板状に形成され、前記筐体の内部に設けられた導光板と、
前記導光板に当接している少なくとも２つの導光板支持部を備え、前記導光板における横方向の一方の側で前記筐体内に設けられた第１のフレーム部材と、
前記導光板に当接している少なくとも２つの導光板支持部を備え、前記導光板における横方向の他方の側で前記筐体内に設けられた第２のフレーム部材と、
前記導光板に当接している少なくとも２つの導光板支持部を備え、前記導光板における縦方向の一方の側で前記筐体内に設けられた第３のフレーム部材と、
前記導光板に当接している少なくとも２つの導光板支持部を備え、前記導光板における縦方向の他方の側で前記筐体内に設けられた第４のフレーム部材と、
前記各フレーム部材のうちの少なくとも１つのフレーム部材に設けられ、前記導光板に向けて光を射出する光源と、
一方の端部が前記筐体に係合し、他方の端部が前記第１のフレーム部材に係合して、前記第１のフレーム部材が前記導光板を押圧するように、前記第１のフレーム部材を付勢する第１の弾性体と、
一方の端部が前記筐体に係合し、他方の端部が前記第２のフレーム部材に係合して、前記第２のフレーム部材が前記導光板を押圧するように、前記第２のフレーム部材を付勢する第２の弾性体と、
一方の端部が前記筐体に係合し、他方の端部が前記第３のフレーム部材に係合して、前記第３のフレーム部材が前記導光板を押圧するように、前記第３のフレーム部材を付勢する第３の弾性体と、
一方の端部が前記筐体に係合し、他方の端部が前記第４のフレーム部材に係合して、前記第４のフレーム部材が前記導光板を押圧するように、前記第４のフレーム部材を付勢する第４の弾性体と、
前記第１のフレーム部材から所定の距離だけ離れて前記筐体に設けられ、前記第１のフレーム部材が当接する第１のストッパと、
前記第２のフレーム部材から所定の距離だけ離れて前記筐体に設けられ、前記第２のフレーム部材が当接する第２のストッパと、
前記第３のフレーム部材から所定の距離だけ離れて前記筐体に設けられ、前記第３のフレーム部材が当接する第３のストッパと、
前記第４のフレーム部材から所定の距離だけ離れて前記筐体に設けられ、前記第４のフレーム部材が当接する第４のストッパと、
を有することを特徴とする照明装置。
【請求項４】
矩形な枡状に形成された筐体と、
矩形な平板状に形成され、前記筐体の内部に設けられた導光板と、
４本の細長いフレーム部材本体と４つのフレーム部材連結体とを組み合わせることで「ロ」字状に形成され、前記４つのフレーム部材連結体のそれぞれが前記導光板の４つの角部のそれぞれに当接して前記導光板を囲むように、前記筐体内に設けられたフレーム部材と、
一方の端部が前記筐体に係合し、他方の端部が前記フレーム部材本体、前記フレーム部材連結体の少なくともいずれかに係合して、前記フレーム部材連結体のそれぞれが前記導光板を付勢するように、前記フレーム部材を付勢する弾性体と、
前記導光板と前記フレーム部材とが前記筐体に対して所定の第１の位置に位置しているときには、前記導光板と前記フレーム部材とが、前記筐体に対して前記導光板の面内方向で僅かに移動し前記導光板の厚さ方向と平行な軸を中心にして回動するように、前記フレーム部材を支持する支持部と、
前記フレーム部材から所定の距離だけ離れて前記筐体に設けられ、前記導光板と前記フレーム部材とが前記筐体に対して所定の第２の位置に位置しているときには、前記フレーム部材が当接するストッパと、
を有することを特徴とする照明装置。
【請求項５】
請求項1〜請求項４のいずれか1項に記載の照明装置と、
前記照明装置のおもて側に設けられ、前記照明装置をバックライトとして使用する画像表示パネルと、
を有することを特徴とする画像表示装置。
【発明の詳細な説明】
【技術分野】
【０００１】
本発明は、照明装置および画像表示装置に係り、特に、照明装置の導光板を、弾性体等を用いて支持しているものに関する。
【背景技術】
【０００２】
近年、液晶パネルなどの表示モジュールを用いて画像を表示する画像表示装置、（例えば、ディスプレイ装置やテレビジョン装置等）が、急速に普及してきた。
【０００３】
表示モジュールに液晶パネルを用いた場合はバックライトが必要となる。そのバックライトの光源として、例えば、冷陰極線管（ＣＣＦＬ）や外部電極蛍光管（ＥＥＦＬ）などの線状光源が使用される場合と、ＬＥＤ（発光ダイオード）を用いたＬＥＤ光源が使用される場合がある。
【０００４】
ＬＥＤ光源を使用する場合、液晶パネルの裏側に光の拡散板を設けて、その背面にＬＥＤ光源を設置する直下型と、液晶パネルの裏側に導光板を設けて、その外周にＬＥＤ光源を配置するエッジライト型とに分かれるが、薄型を目指すには後者の構造が一般的に採用される。
【０００５】
エッジライト型の構造においては、ＬＥＤ光源が発する熱や環境からの湿度に起因する導光板の伸縮によって、すなわち、温度や湿度の変化によって、導光板の入光面（光の入射面；導光板の側面）とＬＥＤ光源と間の距離が変化してしまう現象が発生する。
【０００６】
透明なアクリル板で導光板を構成した場合、この導光板が水分を吸収し、導光板の長さが増加する。たとえば、２％の水分の吸収によって、導光板の横方向の寸法が８００ｍｍに対して３ｍｍ程度増加し、これにより、導光板の入光面とＬＥＤ光源と間の距離が変動する。
【０００７】
上記距離の変動により、光源と導光板との衝突による光源の破壊が発生したり、上記距離の変動によって、ＬＥＤ光源が発する光が導光板内部へ入射する程度が変動し、光入射効率の変動（たとえば、光入射効率の低下）や、導光板での輝度むらをきたすおそれがある。
【０００８】
たとえば、導光板の入光面とＬＥＤ光源と間の距離が０ｍｍのときにおける導光板での光の射出面の平均輝度を１００％とする。これに対し、導光板の入光面とＬＥＤ光源と間の距離が３ｍｍになると、平均輝度が７０％程度になってしまう。
【０００９】
これらの光源の破壊、光入射効率の低下、輝度むら等の発生を防ぐものとして、光源を導光板に固定したものが知られている（たとえば、特許文献１参照）。
【００１０】
特許文献１の図４、図６、図１３、図１４、図１９では、導光板における４箇所の角部のそれぞれに、丸型もしくは長円形状の穴を形成してある。そして、光源の実装基板の裏面に配されているヒートシンクに固定してある固定部材と、この固定部材に固定され前記穴に入り込んでいるピンとを用いて、光源を導光板に固定してある。
【先行技術文献】
【特許文献】
【００１１】
【特許文献１】特開２００９−３２６６４号公報
【発明の概要】
【発明が解決しようとする課題】
【００１２】
ところで、導光板３０２が大型になってくると、図１７に示すように光源の発熱（部位３０４）や、信号基板の発熱（部位３０６）などの局所的な熱が導光板３０２の一部に加わり、導光板３０２の一部が膨張するといった事態が起こる。さらに、日光の当たるところと当たらないところや、エアコンの噴出し口付近とそうでないところ等、導光板３０２の温度（導光板３０２に加えられる熱量や導光板３０２から除去される熱量）が場所（導光板３０２の部位）毎で異なり、導光板３０２の伸縮が不均一となり、設計的に狙った寸法が場所毎に異なってしまう。そして、たとえば、図１７に破線で示すような不均一な形態に導光板３０２が変形する。
【００１３】
特許文献１に示す構造では、均一に変形する導光板が前提であり、不均一に変形する導光板に対しては、伸びに対してすべり機構が機能しない場合や、ストレスにより、導光板に傷が付いたり、歪が発生したり、ピンが折れるなど問題が生じる。
【００１４】
さらに、たとえば、導光板の直角度（矩形な平板状の導光板における角部の角度）が変化した場合や、入光面の直線性が変化した場合などでは、光源の破壊、光入射効率の低下、輝度むらも発生してしまう。
【００１５】
本発明は、上記問題点に鑑みてなされたものであり、導光板が予期せぬ変形をした場合であっても、導光板の歪や反りを防止し、光源の破壊、光入射効率の低下、輝度むら等の発生を防ぐ画像表示装置および照明装置を提供することを目的とする。
【課題を解決するための手段】
【００１６】
第１の発明は、導光板（５）と、前記導光板（５）の脇に設けられ、前記導光板（５）に当接している導光板支持部（１９）と、前記導光板（５）に向けて光を射出する光源（９）とを備えたフレーム部材（７）と、前記フレーム部材（７）が前記導光板（５）を押すように、前記フレーム部材（７）を付勢する弾性体（１１）とを有し、前記弾性体（１１）の付勢力で前記導光板（５）を支持しているとともに、前記導光板（５）の変形を前記弾性体（１１）の弾性変形で吸収するように構成されている照明装置（１）である。
【００１７】
第２の発明は、導光板（５）と、前記導光板（５）の一方の側に設けられ、前記導光板（５）に当接している導光板支持部（１９）と、前記導光板（５）に向けて光を射出する光源（９）とを備えた第１のフレーム部材（７Ａ）と、前記導光板（５）の他方の側に設けられ、前記導光板（５）に当接している導光板支持部（１９）と、前記導光板（５）に向けて光を射出する光源（９）とを備えた第２のフレーム部材（７Ｂ）と、前記第１のフレーム部材（７Ａ）が前記導光板（５）を押圧するように、前記第１のフレーム部材（７Ａ）を付勢する第１の弾性体（１１Ａ）と、前記第２のフレーム部材（７Ｂ）が前記導光板（５）を前記第１のフレーム部材（７Ａ）とは逆方向で押圧するように、前記第２のフレーム部材（７Ｂ）を付勢する第２の弾性体（１１Ｂ）とを有する照明装置（１）である。
【００１８】
第３の発明は、矩形な枡状に形成された筐体（３）と、矩形な平板状に形成され、前記筐体（３）の内部に設けられた導光板（５）と、前記導光板（５）に当接している少なくとも２つの導光板支持部（１９）を備え、前記導光板（５）における横方向の一方の側で前記筐体（３）内に設けられた第１のフレーム部材（７Ａ）と、前記導光板（５）に当接している少なくとも２つの導光板支持部（１９）を備え、前記導光板（５）における横方向の他方の側で前記筐体（３）内に設けられた第２のフレーム部材（７Ｂ）と、前記導光板（５）に当接している少なくとも２つの導光板支持部（１９）を備え、前記導光板（５）における縦方向の一方の側で前記筐体（３）内に設けられた第３のフレーム部材（７Ｃ）と、前記導光板（５）に当接している少なくとも２つの導光板支持部（１９）を備え、前記導光板（５）における縦方向の他方の側で前記筐体（３）内に設けられた第４のフレーム部材（７Ｄ）と、前記各フレーム部材（７）のうちの少なくとも１つのフレーム部材に設けられ、前記導光板（５）に向けて光を射出する光源（９）と、一方の端部が前記筐体（３）に係合し、他方の端部が前記第１のフレーム部材（７Ａ）に係合して、前記第１のフレーム部材（７Ａ）が前記導光板（５）を押圧するように、前記第１のフレーム部材（７Ａ）を付勢する第１の弾性体（１１Ａ）と、一方の端部が前記筐体（３）に係合し、他方の端部が前記第２のフレーム部材（７Ｂ）に係合して、前記第２のフレーム部材（７Ｂ）が前記導光板（５）を押圧するように、前記第２のフレーム部材（７Ｂ）を付勢する第２の弾性体（１１Ｂ）と、一方の端部が前記筐体（３）に係合し、他方の端部が前記第３のフレーム部材（７Ｃ）に係合して、前記第３のフレーム部材（７Ｃ）が前記導光板（５）を押圧するように、前記第３のフレーム部材（７Ｃ）を付勢する第３の弾性体（１１Ｃ）と、一方の端部が前記筐体（３）に係合し、他方の端部が前記第４のフレーム部材（７Ｄ）に係合して、前記第４のフレーム部材（７Ｄ）が前記導光板（５）を押圧するように、前記第４のフレーム部材（７Ｄ）を付勢する第４の弾性体（１１Ｄ）と、前記第１のフレーム部材（７Ａ）から所定の距離だけ離れて前記筐体（３）に設けられ、前記第１のフレーム部材（７Ａ）が当接する第１のストッパ（１３Ａ）と、前記第２のフレーム部材（７Ｂ）から所定の距離だけ離れて前記筐体（３）に設けられ、前記第２のフレーム部材（７Ｂ）が当接する第２のストッパ（１３Ｂ）と、前記第３のフレーム部材（７Ｃ）から所定の距離だけ離れて前記筐体（３）に設けられ、前記第３のフレーム部材（７Ｃ）が当接する第３のストッパ（１３Ｃ）と、前記第４のフレーム部材（７Ｄ）から所定の距離だけ離れて前記筐体（３）に設けられ、前記第４のフレーム部材（７Ｄ）が当接する第４のストッパ（１３Ｄ）とを有する照明装置（１）である。
【００１９】
第４の発明は、矩形な枡状に形成された筐体（３３）と、矩形な平板状に形成され、前記筐体（３３）の内部に設けられた導光板（３５）と、４本の細長いフレーム部材本体（４３）と４つのフレーム部材連結体（４５）とを組み合わせることで「ロ」字状に形成され、前記４つのフレーム部材連結体（４５）のそれぞれが前記導光板の４つの角部のそれぞれに当接して前記導光板（３５）を囲むように、前記筐体（３３）内に設けられたフレーム部材（３１）と、一方の端部が前記筐体（３３）に係合し、他方の端部が前記フレーム部材本体（４３）、前記フレーム部材連結体（４５）の少なくともいずれかに係合して、前記フレーム部材連結体（４５）のそれぞれが前記導光板（３５）を付勢するように、前記フレーム部材（３１）を付勢する弾性体（３７）と、前記導光板（３５）と前記フレーム部材（３１）とが前記筐体（３３）に対して所定の第１の位置に位置しているときには、前記導光板（３３）と前記フレーム部材（３１）とが、前記筐体（３３）に対して前記導光板（３５）の面内方向で僅かに移動し前記導光板（３５）の厚さ方向と平行な軸を中心にして回動するように、前記フレーム部材（３１）を支持する支持部（３８）と、前記フレーム部材（３１）から所定の距離だけ離れて前記筐体（３３）に設けられ、前記導光板（３５）と前記フレーム部材（３１）とが前記筐体（３３）に対して所定の第２の位置に位置しているときには、前記フレーム部材（３１）が当接するストッパ（３９）とを有する照明装置（１ａ）である。
【００２０】
第５の発明は、第１〜第４の発明のいずれか1に記載の照明装置（１，１ａ）と、前記照明装置（１，１ａ）のおもて側に設けられ、前記照明装置（１，１ａ）をバックライトとして使用する画像表示パネルとを有する画像表示装置である。
【発明の効果】
【００２１】
本発明によれば、導光板が予期せぬ変形をした場合であっても、導光板の歪や反りを防止し、光源の破壊、光入射効率の低下、輝度むら等の発生を防ぐことができるという効果を奏する。
【図面の簡単な説明】
【００２２】
【図１】第１の実施形態に係る照明装置（傾斜状態での照明装置）の正面図である。
【図２】図１におけるＩＩ−ＩＩ断面矢視図である。
【図３】図１におけるＩＩＩ−ＩＩＩ断面矢視図である。
【図４】図１におけるＩＶ−ＩＶ断面矢視図である。
【図５】第１の実施形態に係る照明装置の導光板が変形した状態を示す図である。
【図６】第２の実施形態に係る照明装置（水平状態での照明装置）の正面図である。
【図７】第２の実施形態に係る照明装置（傾斜状態での照明装置）の正面図である。
【図８】図７におけるＶＩＩＩ部の拡大図である。
【図９】図８におけるＩＸ−ＩＸ断面矢視図である。
【図１０】図８におけるＸ−Ｘ断面矢視図である。
【図１１】おもて側から見たフレーム部材連結体の斜視図である。
【図１２】裏側（背面側）から見たフレーム部材連結体の斜視図である
【図１３】フレーム部材本体の斜視図である。
【図１４】第２の実施形態に係る照明装置の導光板が変形した状態を示す図である。
【図１５】変形例に係る照明装置の正面図である。
【図１６】別の変形例に係る照明装置の正面図である。
【図１７】従来の照明装置の導光板を示す図である。
【発明を実施するための形態】
【００２３】
［第１の実施形態］
図１等で示す照明装置１は、たとえば、パソコンのディスプレイ装置やテレビジョン装置等の画像表示装置（図示せず）に使用されるものである。画像表示装置では、照明装置１のおもて側に図示しない表示パネル（たとえば液晶（ＬＣＤ）パネル）を設け、照明装置１がバックライト装置として使用される。
【００２４】
以下、説明の便宜のために、照明装置１（画像表示装置）における一方向を横方向とし、横方向に対して直交する他の一方向を縦方向とし、横方向と縦方向とに直交する方向を前後方向とする。上記表示パネルは、前後方向で照明装置１の前側に設けられている。
【００２５】
照明装置１は、図１、図２、図３で示すように、筐体（リヤフレーム；リヤシールド）３と導光板５とフレーム部材７（第１のフレーム部材７Ａ、第２のフレーム部材７Ｂ、第３のフレーム部材７Ｃ、第４のフレーム部材７Ｄ）と光源９と弾性体１１（第１の弾性体１１Ａ、第２の弾性体１１Ｂ、第３の弾性体１１Ｃ、第４の弾性体１１Ｄ）とストッパ１３（第１のストッパ１３Ａ、第２のストッパ１３Ｂ、第３のストッパ１３Ｃ、第４のストッパ１３Ｄ）とを備えて構成されている。
【００２６】
筐体３は、たとえば、熱伝導率の高い鋼やアルミニムやアルミニウム合金等の金属で構成されている。また、筐体３は、図１や図２や図３で示すように、矩形な平板状の底板１５と、この底板１５の厚さ方向の一方の面で底板１５の周辺から所定の高さだけ垂直に起立している側板１７とを備えて矩形な枡状（片面開放箱形状）に形成されている。底板１５の厚さ方向から見ると、側板１７は「ロ」字状になっており、この「ロ」字の内側に底板１５が存在している。
【００２７】
導光板５は、たとえば、透明なアクリル板等の透明な樹脂材料で構成されている。また、導光板５は、矩形な平板状に形成されており、厚さ方向が筐体３の底板１５の厚さ方向と一致し、縦方向が筐体３の縦方向と一致し、横方向が筐体３の横方向と一致するようにして、筐体３の中央部で筐体の内部に設けられている。
【００２８】
導光板５の厚さの値は、筐体３の側板１７の高さの値よりも小さくなっている。導光板５の縦方向の寸法は、筐体３の底板１５の縦方向の寸法よりも小さくなっている。導光板５の横方向の寸法も、筐体３の底板１５の横方向の寸法よりも小さくなっている。
【００２９】
導光板５が筐体３の中央部に設けられていることで、筐体３の横方向では、筐体３の横方向の一端に位置している側板（横方向一端側板）１７Ａと導光板５の横方向の一端（導光板横方向一端）５Ａとが所定の距離だけ離れており、筐体３の横方向の他端に位置している側板（横方向他端側板）１７Ｂと導光板５の横方向の他端（導光板横方向他端）５Ｂとが所定の距離だけ離れている。
【００３０】
また、同様にして、筐体３の縦方向では、筐体３の縦方向の一端に位置している側板（縦方向一端側板）１７Ｃと導光板５の縦方向の一端（導光板縦方向一端）５Ｃとが所定の距離だけ離れており、筐体３の縦方向の他端に位置している側板（縦方向他端側板）１７Ｄと導光板５の縦方向の他端（導光板縦方向他端）５Ｄとが所定の距離だけ離れている。
【００３１】
なお、たとえば、筐体３や導光板５の縦方向の寸法は、筐体３や導光板５の横方向の寸法よりも小さくなっている。
【００３２】
フレーム部材７は、熱伝導率の高いアルミニムもしくはアルミニウム合金等の金属や樹脂（高機能性樹脂）等で構成されている。アルミニウム合金等で構成されている場合、フレーム部材７はアルミダイキャストで形成されており、樹脂で構成されている場合、フレーム部材７は射出成型で形成されている。
【００３３】
第１のフレーム部材７Ａは、導光板５に当接している少なくとも２つの導光板支持部１９（１９Ａ，１９Ｂ）を備えており、導光板５における横方向の一方の側（図１では左側）で筐体３内に設けられている。
【００３４】
第２のフレーム部材７Ｂ、第３のフレーム部材７Ｃ、第４のフレーム部材７Ｄも、第１のフレーム部材７Ａと同様にして、導光板５に当接している少なくとも２つの導光板支持部１９（１９Ａ，１９Ｂ）を備えており、導光板５における横方向の他方の側（図１では右側）、導光板５における縦方向の一方の側（図１では下側）、導光板５における横方向の他方の側（図１では上側）で筐体３内に設けられている。
【００３５】
なお、各フレーム部材７の各導光板支持部１９Ａ，１９Ｂはお互いが離れている。すなわち、第１のフレーム部材７Ａは、鎹状（長方形の４つの辺から１つの長い辺を取り除いた形状）に形成されている。より詳しく説明すると、第１のフレーム部材７Ａは、所定の幅と厚さと長さとを備えた細長い直方体状の素材から、所定の幅と厚さと長さとを備えた細長い直方体状の部位を削除した形状に形成されている。素材の厚さと削除部位の厚さとはお互いが一致している。削除部位の幅は、素材の幅よりも小さくなっており、削除部位の長さは、素材の長さよりも僅かに小さくなっている。素材や削除部位の幅方向では、削除部位が素材の一端部側に位置しており、素材や削除部位の長さ方向では、削除部位が素材の中央に位置しており、素材や削除部位の厚さ方向では、削除部位は素材と同じところに位置している。なお、直方体に別の２つの直方体を一体的に取り付けて、フレーム部材７を鎹状にしてもよい。
【００３６】
そして、素材の長さ方向の両端部に残っている一対の凸部（削除部位に該当しない部位）が、導光板支持部１９Ａ，１９Ｂを構成しており、素材の長さ方向の中間部が、フレーム部材本体部２１を構成している。また、第１のフレーム部材７Ａの長さは、導光板５の縦方向の寸法よりも僅かに短くなっている。
【００３７】
第２のフレーム部材７Ｂは、第１のフレーム部材７Ａと同じ形状に形成されており、第３のフレーム部材７Ｃは、長さを除いて第１のフレーム部材７Ａと同じ形状に形成されている。第３のフレーム部材７Ｃの長さは、第１のフレーム部材７Ａよりも長く、導光板５の横方向の寸法よりも僅かに短くなっている。第４のフレーム部材７Ｄは、第３のフレーム部材７Ｃと同じ形状に形成されている。
【００３８】
第１のフレーム部材７Ａは、横方向一端側板１７Ａと導光板横方向一端５Ａとの間で導光板５側に設けられている。
【００３９】
詳しく説明すると、第１のフレーム部材７Ａ（素材）の厚さ方向が導光板５の厚さ方向と一致し、第１のフレーム部材７Ａの長さ方向が導光板５と縦方向と一致し、第１のフレーム部材７Ａの幅方向が導光板５と横方向と一致するようにして、第１のフレーム部材７Ａが筐体３の内部に設けられている。第１のフレーム部材７Ａの長手方向および導光板５の縦方向では、第１のフレーム部材７Ａの中心の位置と導光板５の中心の位置とがお互いにほぼ一致している。また、第１のフレーム部材７Ａの２つの導光板支持部１９Ａ，１９Ｂが、導光板５に接触している。これにより、横方向一端側板１７Ａと第１のフレーム部材７Ａとの間は、所定の距離だけ離れている。
【００４０】
第２のフレーム部材７Ｂも、第１のフレーム部材７Ａと同様にして、横方向他端側板１７Ｂと導光板横方向他端５Ｂとの間で導光板５側に設けられており、第３のフレーム部材７Ｃも、第１のフレーム部材７Ａと同様にして、縦方向一端側板１７Ｃと導光板縦方向一端５Ｃとの間で導光板５側に設けられており、第４のフレーム部材７Ｄも、第１のフレーム部材７Ａと同様にして、縦方向他端側板１７Ｄと導光板縦方向他端５Ｄとの間で導光板５側に設けられている。
【００４１】
これにより、各フレーム部材７が、導光板５をほぼ囲んでいる。また、導光板５の横方向では、第１のフレーム部材７Ａと第２のフレーム部材７Ｂとで導光板５を挟んでおり、導光板５の縦方向では、第３のフレーム部材７Ｃと第４のフレーム部材７Ｄとで導光板５を挟んでいる。
【００４２】
なお、フレーム部材７と筐体３の底板１５との間には、熱伝導性と潤滑のために、たとえば、シリコングリスが薄い膜状に充填されている。
【００４３】
光源９は、導光板５の側面（導光板横方向一端５Ａの面、導光板横方向他端５Ｂの面、導光板縦方向一端５Ｃの面、導光板縦方向他端５Ｄの面）に向けて光を射出するようになっており、各フレーム部材７に設けられている。
【００４４】
詳しく説明すると、光源９は、図１で示すように、フレーム部材本体部２１で総てのフレーム部材７に設けられている。導光板５とフレーム部材７とが筐体３に設置され、フレーム部材７の導光板支持部１９が導光板５に接触している状態においても、光源９は、導光板５から離れている。
【００４５】
光源９は、第１のフレーム部材７Ａのフレーム部材本体部２１の幅方向の一端部の面（素材を削除部位で削除することで形成され一対の導光板支持部１９の間に存在している矩形状の細長い面）に設けられている。光源９は、たとえば、複数のＬＥＤ素子２３で構成されており、各ＬＥＤ素子２３は、フレーム部材本体部２１の長手方向で所定の間隔をあけ並んで設けられている。他のフレーム部材７Ｂ，７Ｃ，７Ｄでも、光源９が、第１のフレーム部材７Ａと同様に設けられている。
【００４６】
なお、光源９として、ＬＥＤに代えてもしくは加えてＣＣＦＬランプやＥＥＦＬランプ等を使用してもよい。
【００４７】
また、光源９が、４つの各フレーム部材７のうちの１つのフレーム部材（たとえば、第１のフレーム部材７Ａ）のみに設けられている構成であってもよいし、光源９が、４つの各フレーム部材７のうちの２つのフレーム部材（たとえば、第１のフレーム部材７Ａと第２のフレーム部材７Ｂ、もしくは、第１のフレーム部材７Ａと第４のフレーム部材７Ｄ）のみに設けられている構成であってもよし、光源９が、４つの各フレーム部材７のうちの３つのフレーム部材（たとえば、第１のフレーム部材７Ａと第２のフレーム部材７Ｂと第３のフレーム部材７Ｃ）のみに設けられている構成であってもよい。すなわち、光源９が、各フレーム部材７のうちの少なくとも１つのフレーム部材７に設けられている構成であればよい。
【００４８】
第１の弾性体１１Ａは、伸縮方向における一方の端部が筐体３に係合し、伸縮方向における他方の端部が第１のフレーム部材７Ａに係合している。そして、第１の弾性体１１Ａが、第１のフレーム部材７Ａが導光板５を押圧（図１では右側に押圧）するように、第１のフレーム部材７Ａを付勢している。
【００４９】
第２の弾性体１１Ｂ、第３の弾性体１１Ｃ、第４の弾性体１１Ｄも、伸縮方向における一方の端部が筐体３に係合し、伸縮方向における他方の端部が第２のフレーム部材７Ｂ、第３のフレーム部材７Ｃ、第４のフレーム部材７Ｄに係合している。そして、各弾性体が、各フレーム部材７が導光板５を押圧するように、各フレーム部材７を付勢している。
【００５０】
さらに説明すると、第１の弾性体１１Ａは、たとえば、金属製の圧縮コイルバネで構成されている。第１の弾性体１１Ａは、複数（たとえば２つ）設けられており、横方向一端側板１７Ａと第１のフレーム部材７Ａとの間に設けられている。２つの圧縮コイルバネ１１Ａのうちの一方の圧縮コイルバネは、第１のフレーム部材７Ａの長手方向の一端部側（図１では下側）に設けられており、２つの圧縮コイルバネ１１Ａのうちの他方の圧縮コイルバネは、第１のフレーム部材７Ａの長手方向の他端部側（図１では上側）に設けられている。
【００５１】
なお、第１のフレーム部材７Ａがこの長手方向で自由に移動してしまうことを防止するために、圧縮コイルバネ１１Ａの伸縮方向における一方の端部が横方向一端側板１７Ａに一体的に設けられていることが望ましく、圧縮コイルバネ１１Ａの伸縮方向における他方の端部が第１のフレーム部材７Ａに一体的に設けられていることが望ましい。また、圧縮コイルバネに代えてもしくは加えて、ゴム等の弾性を備えた材料や高弾性かつ熱伝導率の高いシリコンゲルを用いて、弾性体１１Ａを構成してもよい。
【００５２】
第２の弾性体１１Ｂは、第１の弾性体１１Ａと同様にして、横方向他端側板１７Ｂと第２のフレーム部材７Ｂとの間に設けられている。第３の弾性体１１Ｃは、第１の弾性体１１Ａと同様にして、縦方向一端側板１７Ｃと第３のフレーム部材７Ｃとの間に設けられている。第４の弾性体１１Ｄは、第１の弾性体１１Ａと同様にして、縦方向他端側板１７Ｄと第４のフレーム部材７Ｄとの間に設けられている。
【００５３】
第１の弾性体１１Ａは、導光板５の横方向で、第１のフレーム部材７Ａが導光板５の中央部側に移動するように第１のフレーム部材７Ａを付勢しており、第２の弾性体１１Ｂは、導光板５の横方向で、第２のフレーム部材７Ｂが導光板５の中央部側に移動するように第２のフレーム部材７Ｂを付勢している。これにより、導光板５の横方向では、第１のフレーム部材７Ａと第２のフレーム部材７Ｂとが所定の付勢力をもって導光板５を挟んでいる。
【００５４】
同様にして、導光板５の縦方向では、第３のフレーム部材７Ｃと第４のフレーム部材７Ｄとが所定の付勢力をもって導光板５を挟んでいる。
【００５５】
なお、上記説明では、弾性体１１の一端部が、筐体３の側板１７に設けられているが、筐体３の底板１５等に切り起こしを設け、この切り起こしに弾性体１１の一端部を係合させてもよいし、別の部品を筐体３に一体的に設け、この別部品に弾性体１１の一端部を係合させてもよい。
【００５６】
ストッパ１３は、たとえば、アルミニムもしくはアルミニウム合金等の金属で構成されている。第１のストッパ１３Ａは、第１のフレーム部材７Ａから所定の距離だけ離れて筐体３の内部で筐体３に一体的に設けられている。そして、第１のフレーム部材７Ａが横方向一端側板１７Ａの方向（図１では左側）に移動するときに、第１のストッパ１３Ａに当接するようになっている。
【００５７】
第２のストッパ１３Ｂは、第１のストッパ１３Ａと同様にして、第２のフレーム部材７Ｂから所定の距離だけ離れて筐体３に設けられている。そして、第２のフレーム部材７Ｂが横方向他端側板１７Ｂの方向（図１では右側）に移動するときに、第２のストッパ１３Ｂに当接するようになっている。
【００５８】
第３のストッパ１３Ｃは、第１のストッパ１３Ａと同様にして、第３のフレーム部材７Ｃから所定の距離だけ離れて筐体３に設けられている。そして、第３のフレーム部材７Ｃが縦方向一端側板１７Ｃの方向（図１では下側）に移動するときに、第３のストッパ１３Ｃに当接するようになっている。
【００５９】
第４のストッパ１３Ｄは、第１のストッパ１３Ａと同様にして、第４のフレーム部材７Ｄから所定の距離だけ離れて筐体３に設けられている。そして、第４のフレーム部材７Ｄが縦方向他端側板１７Ｄの方向（図１では上側）に移動するときに、第４のストッパ１３Ｄに当接するようになっている。
【００６０】
筐体３や導光板５の横方向では、第１のストッパ１３Ａと第２のストッパ１３Ｂとの間の距離が、第１のフレーム部材７Ａと第２のフレーム部材７Ｂとの外形寸法（導光板５の横方向の寸法と第１のフレーム部材７Ａの幅と第２のフレーム部材７Ｂの幅との和）よりも大きくなっている。
【００６１】
また、筐体３や導光板５の縦方向では、第３のストッパ１３Ｃと第４のストッパ１３Ｄとの間の距離が、第３のフレーム部材７Ｃと第４のフレーム部材７Ｄとの外形寸法よりも大きくなっている。
【００６２】
なお、上記説明では、ストッパ１３を別部品としているが、筐体３の底板１５等に切り起こしを設け、この切り起こしをストッパとして使用してもよい。
【００６３】
また、照明装置１では、筐体３の底板１５と導光板５との間に、反射シート２５が設けられている。また、前後方向で導光板５やフレーム部材７が筐体から離れてしまうことを防止するために、照明装置１には、導光板保持体２７が設けられている（図４参照）。
【００６４】
次に、照明装置１の動作について説明する。なお、照明装置１は画像表示装置に設置さているものとする。
【００６５】
照明装置１が水平状態（導光板５の厚さ方向が上下方向になっている状態；たとえば、搬送中）になっているときには、各弾性体１１がほぼ等しい力で各フレーム部材７を押しており、図１で示す状態とは異なり、第１のストッパ１３Ａと第１のフレーム部材７Ａとが所定の距離だけ離れており、第２のストッパ１３Ｂと第２のフレーム部材７Ｂとが所定の距離だけ離れており、第３のストッパ１３Ｃと第３のフレーム部材７Ｃとが所定の距離だけ離れており、第４のストッパ１３Ｄと第４のフレーム部材７Ｄとが所定の距離だけ離れている。
【００６６】
上記水平状態から照明装置１（画像表示装置）を徐々に傾けると、導光板５やフレーム部材７が重力で徐々に移動する。上記水平状態に対して所定の角度以上傾けると（傾斜状態にすると；たとえば画像表示装置の設置状態にすると）、図１で示すように、４つのフレーム部材７のうちの１つのフレーム部材と、この１つのフレーム部材に対向しているストッパ１３とがお互いに接触し、導光板５やフレーム部材７の重量を、ストッパ１３で支持するようになっている。
【００６７】
たとえば、第３のフレーム部材７Ｃが下側になり第４のフレーム部材７Ｄが上側になるように、照明装置１を上記水平状態から所定の角度傾けると、第３のフレーム部材７Ｃと第３のストッパ１３Ｃとがお互いに接触して、第３のストッパ１３Ｃで導光板５と第３のフレーム部材７Ｃと第４のフレーム部材７Ｄとの重量を支えるようになっている。この場合、第３の弾性体１１Ｃが上記水平状態よりも縮み、第４の弾性体１１Ｄが上記水平状態よりも伸び、第３の弾性体１１Ｃの付勢力が、第４の弾性体１１Ｄの付勢力よりも大きくなっている。また、第１の弾性体１１Ａと第２の弾性体１１Ｂとは、水平状態であったときの状態を維持している。
【００６８】
また、光源９が発光することにより、導光板５の前側の面が発光し、照明装置１が、バックライト装置として作用する。
【００６９】
照明装置１によれば、それぞれが別体になっている各フレーム部材７と各弾性体１１とで導光板５を支持しているので、熱や湿度によって、図５で示すように、導光板５が不均一に予期せぬ変形をしても、導光板５での歪の発生や反りの発生を防止し、光源の破壊、光入射効率の低下、輝度むら等の発生を防ぐことができる。
【００７０】
すなわち、照明装置１では、各フレーム部材７と各弾性体１１とで導光板５を挟み込みつつ支持していることで、導光板５と筐体３（反射シート２５）等の間ですべり機構が構成されており、この支持状態で導光板５が不均一に変形しても、上記挟み込み状態を維持しつつ弾性体１１が弾性変形して導光板５の変形を吸収するので、導光板５でのストレス（内部応力）の発生が防止され、導光板５が傷付いたり変形したりすることが防止され、光源９と導光板５との距離をほぼ一定に保つことができ、光源９と導光板５とが接触することが防止され、光源の破壊、光入射効率の低下、輝度むら等の発生を防ぐことができる。
【００７１】
また、照明装置１によれば、ストッパ１３が設けられているので、照明装置１の設置姿勢にかかわらず、重力によって導光板５が無制限に移動してしまうことを防止することができ光源の破壊等を防止することができる。
【００７２】
［第２実施形態］
第２の実施形態に係る照明装置１ａは、フレーム部材３１の形態が第１の実施形態に係る照明装置１と異なる点を除いて、照明装置１とほぼ同様に構成されており、照明装置１とほぼ同様の効果を奏する。
【００７３】
第２の実施形態に係る照明装置１ａは、図６で示すように、筐体３３と導光板３５とフレーム部材３１と弾性体３７（３７Ａ，３７Ｂ，３７Ｃ，３７Ｄ）と支持部（フレーム部材支持部）３８（図６参照）とストッパ３９（３９Ａ，３９Ｂ，３９Ｃ，３９Ｄ）とを備えて構成されている。
【００７４】
筐体３３は、筐体３と同様に矩形な枡状に形成されている。導光板５は、矩形な平板状に形成されている。また、導光板５は、厚さ方向が筐体３３の底板４１の厚さ方向と一致し、縦方向が筐体３３の縦方向と一致し、横方向が筐体３３の横方向一致するようにして、筐体３３の中央部で筐体３３の内部に設けられている。
【００７５】
フレーム部材３１は、４本の細長いフレーム部材本体４３（４３Ａ，４３Ｂ，４３Ｃ，４３Ｄ）と４つのフレーム部材連結体４５（４５Ａ，４５Ｂ，４５Ｃ，４５Ｄ）とを備えて構成されている。また、フレーム部材３１は、フレーム部材連結体４５がフレーム部材本体４３の長手方向の端部に係合するように適宜組み合わせることで「ロ」字状に形成されている。
【００７６】
フレーム部材３１は、４つのフレーム部材連結体４５のそれぞれが導光板３５の４つの角部のそれぞれに当接し導光板３５を囲むようにして、筐体３３内に設けられている。
【００７７】
詳しく説明すると、４本の細長いフレーム部材本体４３は、お互いの長さが等しい２本のフレーム部材本体４３Ａ，４３Ｂと、この２本のフレーム部材本体４３Ａ，４３Ｂよりも長くお互いの長さが等しい２本のフレーム部材本体４３Ｃ，４３Ｄとで構成されている。
【００７８】
長いほうの２本のフレーム部材本体４３Ｃ，４３Ｄを所定の距離（短いほうのフレーム部材本体４３Ａの長さよりも僅かに長い距離）だけ離して平行に配置し、短いほうの２本のフレーム部材本体４３Ａ，４３Ｂを所定の距離（長いほうのフレーム部材本体４３Ｃの長さよりも僅かに長い距離）だけ離して平行にしかも長いほうのフレーム部材本体４３Ｃと直交するように配置し、長いほうのフレーム部材本体４３Ｃ，４３Ｄの端部と短い方のフレーム部材本体４３Ａ，４３Ｂの端部とにフレーム部材連結体４５（４５Ａ，４５Ｂ，４５Ｃ，４５Ｄ）を係合することで、フレーム部材３１が「ロ」字状に形成されている。
【００７９】
フレーム部材本体４３とフレーム部材連結体４５との係合部では、フレーム部材本体４３がフレーム部材連結体４５に対して僅かな角度回動し、また、フレーム部材本体４３がこの長手方向でフレーム部材連結体４５に対して僅かな距離だけ移動できるようになっている。なお、上記僅かな回動は、導光板３５が設置されている筐体３３にフレーム部材３１を設置した状態で、導光板３５の厚さ方向と同じ方向に延びている軸を回動中心とした回動である。
【００８０】
さらに説明すると、フレーム部材本体４３Ａにフレーム部材連結体４５Ｄが係合している状態では、フレーム部材本体４３Ａとフレーム部材連結体４５Ｄとの係合部を通り図８の紙面に直交する方向に延びている軸を回動中心にして、フレーム部材連結体４５Ｄに対してフレーム部材本体４３Ａがごく僅かに回動するようになっている。
【００８１】
また、フレーム部材本体４３Ａにフレーム部材連結体４５Ｄが係合している状態では、フレーム部材連結体４５Ｄに対してフレーム部材本体４３Ａがごく僅かに上下方向で移動するようになっている。
【００８２】
弾性体３７は、照明装置１の弾性体１１と同様に構成されており、伸縮方向における一方の端部が筐体３３に係合しており、伸縮方向における他方の端部がフレーム部材本体４３に係合して、フレーム部材連結体４５のそれぞれが導光板３５を付勢するように、フレーム部材３１を付勢している。なお、弾性体３７がフレーム部材本体４３に係合することに代えてフレーム部材連結体４５に係合している態様であってもよい。
【００８３】
支持部３８は、図６で示すように、フレーム部材３１（たとえば、フレーム部材連結体４５）を支持しているものである。支持部３８でフレーム部材３１や導光板３５を支持している状態では、所定の第１の位置（たとえば、図６で示す中間位置）に位置している導光板３５とフレーム部材３１とが、筐体３３に対して、導光板３５の面内方向で僅かに移動（平行移動）し、また、導光板３５の厚さ方向に延びている軸を中心にして僅かに回動するようになっている。
【００８４】
なお、上記所定の第１の位置は、筐体３３に対する導光板３５やフレーム部材３１の位置であって、上記所定の第１の位置では、縦方向および横方向で、筐体３３の底板４１の中心と導光板３５の中心とがお互いに一致している。また、導光板３５の面内方向とは、導光板３５の厚さ方向に対して直交する方向（導光板３５の縦方向および横方向）である。
【００８５】
ストッパ３９は、照明装置１のストッパ１３と同様に構成されており、筐体３３の内部に設けられている。上記所定の第１の位置に導光板３５とフレーム部材３１とが位置しているときには、ストッパ３９はフレーム部材３１から所定の距離だけ離れている（図６参照）。
【００８６】
一方、上記所定の第１の位置とは異なる所定の第２の位置（たとえば、図７で示す偏在位置）に、導光板３５とフレーム部材３１とが位置しているときには、ストッパ３９が、フレーム部材３１に当接するようになっている。そして、導光板３５とフレーム部材３１とが回動（導光板３５の厚さ方向と平行な軸を中心にした回動）できないようになっている。また、第２の位置に導光板３５とフレーム部材３１とが位置しているときには、導光板の面内方向における導光板３５とフレーム部材３１との移動（平行移動）が規制されている。すなわち、導光板３５とフレーム部材３１とは、当接しているストッパ３９（３９Ｂ，３９Ｃ）から離れる方向（図７の上方向や左方向）には平行移動できるが、当接しているストッパ３９（３９Ｂ，３９Ｃ）を押圧する方向には移動できないようになっている。
【００８７】
導光板３５とフレーム部材３１とが上記の第２の位置に位置している状態では、図７で示すように、図６で示す状態に比べて、導光板３５とフレーム部材３１とが斜め右下方に移動し、フレーム部材本体４３Ｃがストッパ３９Ｃに当接し、フレーム部材本体４３Ｂがストッパ３９Ｂに当接している。また、図７で示す状態では、図６で示す状態に比べて、弾性体３７Ｂ，３７Ｃが圧縮されている。
【００８８】
さらに説明すると、フレーム部材本体４３は、金属の押し出し材で細長い直方体状に形成されている。
【００８９】
フレーム部材連結体４５は、平板状の鋼等の金属の素材をたとえばプレス加工や曲げ加工や絞り加工することで生成されており、図１１や図１２で示すように、平板状の底部４７とこの底部４７の厚さ方向の一方の面から所定の高さだけ起立している側部４９とを備えて構成されている。なお、フレーム部材連結体４５が、強度面等において機能を満たすのであれば、フレーム部材連結体４５をアルミニウムの板材から形成し、もしくは、フレーム部材連結体４５がアルミニウムや合成樹脂の射出成型品であってもよい。
【００９０】
フレーム部材連結体４５の底部４７をこの厚さ方向から見ると、図８で示すように、正方形の１つの角部を階段状にした形状になっている。すなわち、底部４７は、第１の長辺５１Ａと第２の長辺５１Ｂと第１の短辺５３Ａ〜第８の短辺５３Ｈで囲まれた多角形の形状をしている。
【００９１】
第１の長辺５１Ａと第２の長辺５１Ｂとの長さはたとえばお互いが等しく（第１の長辺５１Ａの長さと第２の長辺５１Ｂとの長さとがお互いに異なっていてもよい。）、第１の長辺５１Ａと第２の長辺５１Ｂとはお互いに直交しており、第１の長辺５１Ａの一端部と第２の長辺５１Ｂの一端部とが１点で交わっている。なお、実際には、第１の長辺５１Ａの一端部と第２の長辺５１Ｂの一端部との部位は、円弧状になっているが、ここでは説明の便宜にために、円弧になっていないものとして、以下の説明を続ける。
【００９２】
第１の短辺５３Ａは、第１の長辺５１Ａに直交しており、第１の長辺５１Ａの他端部から第２の長辺５１Ｂと同じ側に延びている。第２の短辺５３Ｂは、第１の短辺５３Ａに直交しており、第１の短辺５３Ａの端部（第１の長辺５１Ａとは反対側の端部）から第２の長辺５１Ｂに向かって延びている。第３の短辺５３Ｃは、第２の短辺５３Ｂに直交しており、第２の短辺５３Ｂの端部（第１の短辺５３Ａとは反対側の端部）から第１の短辺５３Ａ側とは逆側に向かって延びている。第４の短辺５３Ｄは、第３の短辺５３Ｃに直交しており、第３の短辺５３Ｃの端部（第２の短辺５３Ｂとは反対側の端部）から第２の長辺５１Ｂに向かって延びている。第５の短辺５１Ｅは、第４の短辺５３Ｄに直交しており、第４の短辺５３Ｄの端部（第３の短辺５３Ｃとは反対側の端部）から第３の短辺５３Ｃ側とは逆側に向かって延びている。第６の短辺５３Ｆは、第５の短辺５３Ｅに直交しており、第５の短辺５３Ｅの端部（第４の短辺５３Ｄとは反対側の端部）から第２の長辺５１Ｂに向かって延びている。第７の短辺５３Ｇは、第６の短辺５３Ｆに直交しており、第６の短辺５３Ｆの端部（第６の短辺５３Ｆとは反対側の端部）から第５の短辺５３Ｅ側とは逆側に向かって延びている。第８の短辺５３Ｈは、第７の短辺５３Ｇに直交しており、第７の短辺５３Ｇの端部（第６の短辺５３Ｆとは反対側の端部）から第２の長辺５１Ｂの他端部まで延びている。
【００９３】
また、第１の短辺５３Ａの長さと第８の短辺５３Ｈの長さとはお互いに等しくなっており、第２の短辺５３Ｂの長さと第７の短辺５３Ｇの長さとはお互いに等しくなっており、第３の短辺５３Ｃの長さと第６の短辺５３Ｆの長さとはお互いに等しくなっており、第４の短辺５３Ｄの長さと第５の短辺５３Ｅの長さとはお互いに等しくなっている。
【００９４】
さらに、第１の短辺５３Ａの長さと第３の短辺５３Ｃの長さと第５の短辺５３Ｅの長さと第７の短辺５３Ｇの長さとの和と、第２の長辺５１Ｂの長さとは、お互いが等しくなっており、第２の短辺５３Ｂの長さと第４の短辺５３Ｄの長さと第６の短辺５３Ｆの長さと第８の短辺５３Ｈの長さとの和と、第１の長辺５１Ａの長さとは、お互いが等しくなっている。
【００９５】
図６に示す支持部３８は、ダルマ孔５５（５５Ａ）と、筐体３３に一体的に設けられた円柱状のピン５７（５７Ａ，５７Ｂ）とを備えて構成されている。
【００９６】
ダルマ孔５５Ａは、４つのフレーム部材連結体４５のうちで、お互いが対角の位置に位置しているフレーム部材連結体４５Ｄとフレーム部材連結体４５Ｂとに設けられている。
【００９７】
ダルマ孔５５Ａは、フレーム部材連結体４５Ｄの底部４７をこの厚さ方向で貫通している。ダルマ孔５５Ａの貫通方向で見ると、ダルマ孔５５Ａは、大径の円と小径の円とを適宜組み合わせた形状になっている。さらに説明すると、大径の円とこの大径の円と中心が一致している小径の円とを１つの平面に描き、上記小径の円を上記大径の円に対して所定の距離だけ直線的に移動したときに、上記大径の円と上記小径の円の移動の軌跡とで表わされる形状が、ダルマ孔の形状になっている。なお、上記小径の円の移動距離は、前記大径の円の半径程度の距離であり、より広くは、小径の円の円弧と大径の円の円弧との間に直線状部位ができる移動距離である。
【００９８】
ダルマ孔５５Ａは、たとえば、上記小径の円の中心の移動軌跡が、第１の長辺５１Ａと第２の長辺５１Ｂとの交差角度を２等分する直線上に位置するようにして、フレーム部材連結体４５Ｄの底部４７に設けられている。また、ダルマ孔５５Ａは、上記大径の円が第１の長辺５１Ａと第２の長辺５１Ｂとの交差部側に位置し、上記小径の円が第４の短辺５３Ｄと第５の短辺５３Ｅとの交差部側に位置するようにして、フレーム部材連結体４５Ｄの底部４７に設けられている。
【００９９】
ダルマ孔５５Ｂも、ダルマ孔５５Ａと同様にして、フレーム部材連結体４５Ｂの底部４７に設けられている。
【０１００】
ピン５７は、ダルマ孔５５に対応して２つ設けられている。ピン５７Ａは、図１０で示すように、筐体３３の底板４１から起立し筐体３３内で筐体３３にたとえばカシメによって一体的に設けられている。また、ピン５７Ａは、ダルマ孔５５Ａを貫通している。同様にして、ピン５７Ｂも、筐体３３に一体的に設けられており、ダルマ孔５５Ｂを貫通している。
【０１０１】
そして、図６で示すように、導光板３５とフレーム部材３１とが所定の第１の位置に位置しているときには、ピン５７Ａが、ダルマ孔５５Ａの内周から離れてダルマ孔５５Ａの大径の円のところを貫通している。また、ピン５７Ｂも、ダルマ孔５５Ｂの内周から離れてダルマ孔５５Ｂの大径の円のところを貫通している。
【０１０２】
図７で示すように、導光板３５とフレーム部材３１とが所定の第２の位置に位置しているときには、ピン５７Ｂが、ダルマ孔５５Ｂの小径の円のところを貫通している。ピン５７Ｂの外径とダルマ孔５５Ｂの小径の円の内径とはお互いがほぼ等しくなっている。したがって、ストッパ３９が存在しないとすれば、導光板３５とフレーム部材３１とは、ピン５７Ｂの中心軸を中心にして、回動するようになっている。実際には、ストッパ３９が存在するので、上述したように回動もできないようになっている。一方、導光板３５とフレーム部材３１とが所定の第１の位置（図６参照）に位置しているときには、導光板３５とフレーム部材３１とは、上述したように、上方向や左方向には、平行移動することができるようになっている。
【０１０３】
図７に示す状態から、導光板３５とフレーム部材３１と左斜め上方に移動し、ピン５７Ｂが、ダルマ孔５５Ｂの小径の円のところを貫通したときには、図７で示す場合と同様の状態になる。
【０１０４】
ここで、フレーム部材３１におけるフレーム部材本体４３とフレーム部材連結体４５との係合について詳しく説明する。
【０１０５】
４本のフレーム部材連結体４５は、ダルマ孔５５を除けば、お互いが同じ形状に形成されている。また、４本のフレーム部材本体４３は、長さを除けば、お互いが同じ形状に形成されている。
【０１０６】
そこで、フレーム部材連結体４５Ｄとフレーム部材本体４３Ａとの係合を例に掲げて説明する（図８、図９等参照）。
【０１０７】
フレーム部材連結体４５Ｄの各辺５１Ａ，５１Ｂ，５３Ｂ，５３Ｄ，５３Ｅ，５３Ｇからは、各側部４９１Ａ，４９１Ｂ，４９３Ｂ，４９３Ｄ，４９３Ｅ，４９３Ｇが直交し起立している。
【０１０８】
フレーム部材本体４３Ａの端部（フレーム部材連結体４５Ｄ側の端部）とこの近傍の部位とは、厚さ方向の一方の面がフレーム部材連結体４５Ｄの底部４７に面接触し、厚さ方向の他方の面が筐体３３の底板４１に面接触して、側部４９１Ａと側部４９３Ｂとの間に入り込んでいる。なお、側部４９１Ａと側部４９３Ｂとの間の距離は、フレーム部材本体４３Ａの幅より僅かに大きくなっている。
【０１０９】
フレーム部材本体４３Ａの端部（フレーム部材連結体４５Ｄ側の端部）の近傍には、長円状の貫通孔５９が形成されている。貫通孔５９は、フレーム部材本体４３Ａの中央部でフレーム部材本体４３Ａの長手方向に長く形成されている。
【０１１０】
フレーム部材本体４３Ａの底部４７からは、円柱状のピン６１が起立している。ピン６１は、底部４７にカシメ等によって一体的に設けられており、貫通孔５９に入り込んでいる。貫通孔５９の幅とピン６１の外径とは、お互いがほぼ等しくなっている。
【０１１１】
また、フレーム部材本体４３Ａの端部が側部４９１Ａと側部４９３Ｂとの間に入り込み、ピン６１が貫通孔５９に入り込んでいる状態では、フレーム部材本体４３Ａの幅方向両側で、側部４９１Ａと側部４９３Ｂとの間に間隙が形成されている。
【０１１２】
これにより、フレーム部材本体４３Ａがフレーム部材連結体４５Ｄに対して、上述したように僅かに回動し、また、長手方向で僅かに移動できるようになっている。
【０１１３】
なお、フレーム部材本体４３の他の箇所やフレーム部材連結体４５の他の箇所も、フレーム部材連結体４５Ｄとフレーム部材本体４３Ａとの場合と同様に係合して、フレーム部材３１が形成されている。
【０１１４】
また、筐体３３にフレーム部材３１と導光板３５と弾性体３７を設置した状態では、フレーム部材連結体４５Ｄの側部４９３Ｄと側部４９３Ｅとが、導光板３５の１つの角部とこの近傍とに当接して導光板３５を右斜め下に付勢している。同様にして、フレーム部材連結体４５Ａの側部４９３Ｄと側部４９３Ｅとが導光板３５に当接して導光板３５を右斜め上に付勢しており、フレーム部材連結体４５Ｂの側部４９３Ｄと側部４９３Ｅとが導光板３５に当接して導光板３５を左斜め上に付勢しており、フレーム部材連結体４５Ｃの側部４９３Ｄと側部４９３Ｅとが導光板３５に当接して導光板３５を左斜め下に付勢している。
【０１１５】
ところで、照明装置１，１ａでは、フレーム部材７，３１に、光源（ＬＥＤ素子）９が直接設けられている説明になっているが、実際には、図１３で示すように、ＬＥＤ素子９は、基板６３を介して、フレーム部材７，３１に設けられている。
【０１１６】
次に、照明装置１ａの動作について説明する。
【０１１７】
照明装置１ａが図６で示すように水平状態になっているときには、各弾性体３７がほぼ等しい力でフレーム部材（各フレーム部材本体４３）３１を押しており、ストッパ３９Ａとフレーム部材本体４３Ａとが所定の距離だけ離れており、ストッパ３９Ｂとフレーム部材本体４３Ｂとが所定の距離だけ離れており、ストッパ３９Ｃとフレーム部材本体４３Ｃとが所定の距離だけ離れており、ストッパ３９Ｄとフレーム部材本体４３Ｄとが所定の距離だけ離れている。
【０１１８】
上記水平状態から照明装置１を傾けて傾斜状態にすると、図７で示すように、ピン５７Ｂがダルマ孔５５Ｂの小径の円のところを貫通し、フレーム部材本体４３Ｂがストッパ３９Ｂに当接し、フレーム部材本体４３Ｃがストッパ３９Ｃに当接して、導光板３５やフレーム部材３１の重量を、ストッパ３９で支持するようになっている。
【０１１９】
そして、熱や湿度によって、図１４で示すように、導光板３５が不均一に予期せぬ変形をしても、導光板３５での歪の発生や反りの発生を防止し、光源の破壊、光入射効率の低下、輝度むら等の発生を防ぐことができる。
【０１２０】
ところで、照明装置１を適宜変形し、図１５や図１６で示す形態にしてもよい。
【０１２１】
図１５で示す照明装置１ｂでは、導光板５に４本のフレーム部材７を設置してあり、４本のフレーム部材７のうちの２本のフレーム部材７Ｃ，７Ｂをストッパ１３に当接してあり、２本のフレーム部材７Ａ，７Ｄを弾性体１１で付勢している。
【０１２２】
図１６で示す照明装置１ｃでは、図１５で示す照明装置１ｃにおいて、フレーム部材７Ｂとこのフレーム部材７Ｂに当接しているストッパを削除し、代わりにピン６５を設けピン６５の導光板５を当接させている。なお、ピン６５は筐体３に一体的に設けられている。
【０１２３】
なお、照明装置１，１ａ，１ｂ，１ｃは、筐体と、筐体の内部に設けられた導光板と、導光板における縦方向や横方向の一方の側で筐体内に設けられ導光板に当接している少なくとも２つの導光板支持部と導光板支持部とは異なる部位で導光板から離れており、導光板の側面に向けて光を射出する光源とを備えた第１のフレーム部材と、導光板における縦方向や横方向の他方の側で筐体内）に設けられ導光板に当接している少なくとも２つの導光板支持部と導光板支持部とは異なる部位で前記導光板から離れており導光板の側面に向けて光を射出する光源とを備えた第２のフレーム部材と、伸縮方向における一方の端部が筐体に当接し伸縮方向における他方の端部が第１のフレーム部材に当接し第１のフレーム部材が導光板を押圧するように第１のフレーム部材を付勢する第１の弾性体と、伸縮方向における一方の端部が前記筐体に当接し伸縮方向における他方の端部が第２のフレーム部材に当接し第２のフレーム部材が導光板を第１のフレーム部材とは逆方向で押圧するように第２のフレーム部材を付勢する第２の弾性体とを有することを特徴とする照明装置の例である。
【０１２４】
この照明装置には、筐体に設けられ重力による前記第１のフレーム部材と導光板と第２のフレーム部材との移動（前記第２の弾性体の付勢方向への移動）を第１のフレーム部材に当接することにより途中で止める第１のストッパと、筐体に設けられ重力による第２のフレーム部材と導光板と第１のフレーム部材との移動（前記第１の弾性体の付勢方向への移動）を、第２のフレーム部材に当接することにより途中で止める第２のストッパとが設けられている場合がある。
【０１２５】
また、照明装置１，１ａ，１ｂ，１ｃは、筐体と、筐体の内部に設けられた導光板と、導光板の脇で筐体内に設けられ導光板に当接している導光板支持部と導光板に向けて光を射出する光源とを備えたフレーム部材と、フレーム部材が導光板を押すようにフレーム部材を付勢する弾性体とを有し、弾性体の付勢力で導光板を支持しているとともに、導光板の変形を弾性体の弾性変形で吸収するように構成されている照明装置の例である。
【０１２６】
この照明装置には、フレーム部材に当接することでフレーム部材と導光板との移動を規制するストッパが設けられている場合がある。そして、ストッパで、重力によって導光板とフレーム部材とが所定の距離以上移動してしまうことを防止している。
【符号の説明】
【０１２７】
１，１ａ，１ｂ，１ｃ  照明装置
３，３３  筐体
５，３５  導光板
７（７Ａ，７Ｂ，７Ｃ，７Ｄ），４１  フレーム部材
９  光源
１１（１１Ａ，１１Ｂ，１１Ｃ，１１Ｄ），３７  弾性体
１３（１３Ａ，１３Ｂ，１３Ｃ，１３Ｄ），３９  ストッパ
１９  導光板支持部
３８  支持部
４３  フレーム部材本体
４５  フレーム部材連結体
【図１】
2012146504.tif 000003
【図２】
2012146504.tif 000004
【図３】
2012146504.tif 000005
【図４】
2012146504.tif 000006
【図５】
2012146504.tif 000007
【図６】
2012146504.tif 000008
【図７】
2012146504.tif 000009
【図８】
2012146504.tif 000010
【図９】
2012146504.tif 000011
【図１０】
2012146504.tif 000012
【図１１】
2012146504.tif 000013
【図１２】
2012146504.tif 000014
【図１３】
2012146504.tif 000015
【図１４】
2012146504.tif 000016
【図１５】
2012146504.tif 000017
【図１６】
2012146504.tif 000018
【図１７】
2012146504.tif 000019